(57)【要約】【課題】カメラ本体部の側面に開閉自在に取り付けた液晶パネル部を覆う。【解決手段】撮像レンズ部１０を先端に取り付けたカメラ本体部２０の側面に液晶パネル部３０を開閉自在に取り付けた可搬型のビデオカメラ１に適用され、防水性がある樹脂シート材を用いて前記可搬型のビデオカメラ１を略全体的に覆うビデオカメラ用カバーにおいて、前記カメラ本体部２０を底面側から着脱させ、且つ、前記カメラ本体部２０を内装した時に該カメラ本体部２０を覆うカメラ本体カバー部７０と、前記カメラ本体カバー部７０の側面から透明な樹脂シート材を用いて略封筒状に一体的に突出形成され、且つ、互いに対向する外側面８０ａの一部と内側面８０ｂの一部同士を接離可能に接合させ、前記液晶パネル部３０を内装した時に該液晶パネル部３０を目視可能に覆う液晶パネルカバー部８０とを少なくとも備えたことを特徴とするビデオカメラ用カバー５０を提供する。【選択図】　　　図６
2004128529.tif 000002
【特許請求の範囲】
【請求項１】
撮像レンズ部を先端に取り付けたカメラ本体部の側面に液晶パネル部を開閉自在に取り付けた可搬型のビデオカメラに適用され、防水性がある樹脂シート材を用いて前記可搬型のビデオカメラを略全体的に覆うビデオカメラ用カバーにおいて、
前記カメラ本体部を底面側から着脱させ、且つ、前記カメラ本体部を内装した時に該カメラ本体部を覆うカメラ本体カバー部と、
前記カメラ本体カバー部の側面から透明な樹脂シート材を用いて略封筒状に一体的に突出形成され、且つ、互いに対向する外側面の一部と内側面の一部同士を接離可能に接合させ、前記液晶パネル部を内装した時に該液晶パネル部を目視可能に覆う液晶パネルカバー部とを少なくとも備えたことを特徴とするビデオカメラ用カバー。
【請求項２】
請求項１記載のビデオカメラ用カバーにおいて、
前記液晶パネルカバー部は、前記液晶パネル部の開閉動作に伴って開閉可能に形成したことを特徴とするビデオカメラ用カバー。
【請求項３】
撮像レンズ部をカメラ本体部の先端に取り付け、且つ、前記カメラ本体部の底面に三脚取り付け用有底ネジ孔を穿設した可搬型のビデオカメラに適用され、防水性がある樹脂シート材を用いて前記可搬型のビデオカメラを略全体的に覆うビデオカメラ用カバーにおいて、
前記三脚取り付け用有底ネジ孔内に着脱可能に取り付けられ、且つ、一方の面に雄型マジックテープ（又は雌型マジックテープ）を固着させる共に、前記三脚取り付け用有底ネジ孔内に弾性変位可能に嵌合するチャッキング爪を前記一方の面と反対側の他方の面に突出させた固定部材と、
前記カメラ本体部を覆うと共に、底面の内側に前記固定部材の雄型マジックテープ（又は雌型マジックテープ）と対となる雌型マジックテープ（又は雄型マジックテープ）を固着させたカメラ本体カバー部とを少なくとも備え、
前記カメラ本体カバー部に前記カメラ本体部を内装した際に、前記カメラ本体部の底面に前記三脚取り付け用有底ネジ孔を介して取り付けた前記固定部材の前記雄型マジックテープ（又は前記雌型マジックテープ）を、前記カメラ本体カバー部の底面の内側に固着させた前記雌型マジックテープ（又は前記雄型マジックテープ）に接合したことを特徴とするビデオカメラ用カバー。
【請求項４】
撮像レンズ部をカメラ本体部の先端に取り付け、且つ、前記カメラ本体部の後面にバッテリーを着脱可能に取り付けた可搬型のビデオカメラに適用され、防水性がある樹脂シート材を用いて前記可搬型のビデオカメラを略全体的に覆うビデオカメラ用カバーにおいて、
前記カメラ本体部を覆うカメラ本体カバー部を少なくとも備え、前記カメラ本体カバー部のうちで前記バッテリーと対向する後面に防水性があり且つ前記バッテリーの奥行きサイズに応じて伸縮する素材を縫い合わせたことを特徴とするビデオカメラ用カバー。
【請求項５】
撮像レンズ部をカメラ本体部の先端に取り付け、且つ、前記カメラ本体部の後面にビューファインダー部を撮影者に向かって伸縮可能に取り付けた可搬型のビデオカメラに適用され、防水性がある樹脂シート材を用いて前記可搬型のビデオカメラを略全体的に覆うビデオカメラ用カバーにおいて、
前記ビューファインダー部の不使用時に前記カメラ本体部の後面側に接近した該ビューファインダー部の接眼部と対向してこの接眼部を覆うビューファインダーカバー蓋部を、前記カメラ本体カバー部の後面にマジックテープを介して閉じ状態で取り付ける一方、
前記ビューファインダー部の使用時に前記ビューファインダーカバー蓋部を前記カメラ本体カバー部の上面上にマジックテープにより接合した状態で退避させて、前記ビューファインダー部の接眼部を撮影者側に臨ませたことを特徴とするビデオカメラ用カバー。
【請求項６】
撮像レンズ部をカメラ本体部の先端に取り付けた可搬型のビデオカメラに適用され、防水性がある樹脂シート材を用いて前記可搬型のビデオカメラを略全体的に覆うビデオカメラ用カバーにおいて、
前記撮像レンズ部を覆うフードカバー部と、前記カメラ本体部を覆うカメラ本体カバー部とを一体的に接合する際、前記フードカバー部と前記カメラ本体カバー部の先端部位とを、当て布を用いて返し縫いにより接合したことを特徴とするビデオカメラ用カバー。
【発明の詳細な説明】
【０００１】
【発明の属する技術分野】
本発明は、撮像レンズ部を先端に取り付けたカメラ本体部の側面に液晶パネル部を開閉自在に取り付けた可搬型のビデオカメラを、雨や雪などに対して保護するためのビデオカメラ用カバーに関するものである。
【０００２】
【従来の技術】
最近、被写体を撮影するための撮像レンズ部をカメラ本体部の先端に取り付け、且つ、カメラ本体部内に撮像レンズ部で撮影した被写体像を記録媒体に記録再生する記録再生部を内蔵すると共に、撮像レンズ部で撮影した被写体像又は記録媒体に記録した被写体像を表示するための液晶パネル部をカメラ本体部の側面に開閉自在に取り付けた可搬型のビデオカメラが多用されている。
【０００３】
図１は液晶パネル部をカメラ本体部の側面に開閉自在に取り付けた一般的な可搬型のビデオカメラを説明するための斜視図であり、且つ、液晶パネル部の液晶パネルが不使用状態を示した図である。
【０００４】
図１に示した如く、一般的な可搬型のビデオカメラ１は、撮影レンズ部１０と、カメラ本体部２０と、液晶パネル部３０と、ビューファインダー部４０とで概略構成されている。
【０００５】
まず、上記した撮影レンズ部１０は、カメラ鏡筒１１の先端に被写体を撮影するための撮影レンズ１２が取り付けられ、且つ、この撮影レンズ１２の後方に撮影レンズ１２で撮影した被写体像を結像して光電変換する撮像素子１３が取り付けられている。
【０００６】
次に、上記したカメラ本体部２０は、カメラ鏡筒１１と連接したカメラ本体ケース２１内に撮像素子１３で光電変換した被写体像の映像信号を磁気テープ又は光ディスクもしくは固体メモリなどの不図示の記録媒体に記録したり、記録媒体上に記録した記録済みの映像信号を再生する記録再生部２２を内蔵すると共に、カメラ本体ケース２１の上部外側２１ａに複数の操作ボタン２３を取り付けている。また、撮影レンズ部１０の下方で、カメラ本体ケース２１の前面下部２１ｂに周囲が暗い撮影時に被写体側に向けて照明光を出射させる照明用ライト２４が取り付けられている。
【０００７】
次に、上記した液晶パネル部３０は、カメラ本体部２０のカメラ本体ケース２１の一方の側面２１ｃの前方側に第１ヒンジ３１が逆コ字状に突出形成され、且つ、第１ヒンジ３１の逆コ字状の中心に軸状の第２ヒンジ３２がカメラ本体ケース２１の後方側に向かって突出形成されている。この際、カメラ本体ケース２１の一方の側面２１ｃは撮影者の左手側に位置するために、以下、一方の側面２１ｃを左側面と記す。
【０００８】
そして、カメラ本体ケース２１の左側面２１ｃと対向する内側面３３ａに液晶パネル３４を取り付けた液晶パネル支持ケース３３が、カメラ本体ケース２１の左側面２１ｃ側に密着させて閉じた液晶パネル不使用位置と、この液晶パネル不使用位置から略９０°程度図示手前側に開いた液晶パネル使用位置との間を第１ヒンジ３１を中心に矢印Ｙ方向に開閉自在に支持され、且つ、第２ヒンジ３２を中心に矢印Ｒ方向に回転自在に取り付けられている。
【０００９】
この際、液晶パネル支持ケース３３の内側面３３ａに取り付けた液晶パネル３４を不使用時にカメラ本体ケース２１の左側面２１ｃに密着させて閉じることで、液晶パネル３４の損傷を防止している。
【００１０】
また、液晶パネル支持ケース３３の内側面３３ａに突出形成したボス３３ａ１がカメラ本体ケース２１の左側面２１ｃに取り付けた液晶パネル用電源スイッチ３５に対して接離自在になっており、液晶パネル不使用時にボス３３ａ１が液晶パネル用電源スイッチ３５を押圧することで液晶パネル３４が非動作状態となり、一方、液晶パネル使用時に液晶パネル支持ケース３３と一体に液晶パネル３４を手前側に開いてボス３３ａ１が液晶パネル用電源スイッチ３５から離間することで液晶パネル３４が動作状態となり、撮像レンズ１２で撮影した被写体像や記録媒体（不図示）に記録された被写体像が液晶パネル３４上に電子的に表示されるようになっている。
【００１１】
次に、上記したビューファインダー部４０は、カメラ本体部２０のカメラ本体ケース２１の後面２１ｄに撮影者に向かって伸縮可能に設けられている。即ち、このビューファインダー部４０は、カメラ本体ケース２１の後面２１ｄに接近して縮んだビューファインダー不使用位置と、カメラ本体ケース２１の後面２１ｄから撮影者側に向かって伸びたビューファインダー使用位置との間で矢印Ｘ方向に伸縮自在に設けられている。そして、ビューファインダー使用時にビューファインダー部４０を撮影者側に向かって延出させると、不図示のビューファインダー用電源スイッチによりビューファインダー部４０が動作状態となり、撮像レンズ１２で撮影した被写体像が接眼部４０ａに光学的に表示されるようになっている。
【００１２】
尚、液晶パネル部３０が動作する時にビューファインダー部４０は非動作状態となり、一方、ビューファインダー部４０が動作する時に液晶パネル部３０は非動作状態となるように不図示の制御部で制御されている。
【００１３】
次に、ビューファインダー部４０の下方で且つカメラ本体部２０のカメラ本体ケース２１の後面２１ｄの外側にバッテリー４５が着脱可能に取り付けられており、このバッテリー４５は記録再生部２２と液晶パネル部３０とに電源を供給している。
【００１４】
更に、カメラ本体部２０のカメラ本体ケース２１の底面２１ｅに三脚取り付け用有底ネジ孔２５が穿設されており、この三脚取り付け用有底ネジ孔２５に図示しない三脚を必要に応じて取り付けることができるようになっている。
【００１５】
ここで、上記構成による一般的な可搬型のビデオカメラ１において、液晶パネル部の液晶パネルの使用形態を図２（ａ）〜（ｃ）を用いて簡略に説明する。
【００１６】
図２は一般的な可搬型のビデオカメラにおいて、液晶パネル部の液晶パネルの使用形態を説明するための斜視図であり、（ａ）は液晶パネル部の液晶パネルを撮影者側に向かせた状態を示し、（ｂ）は液晶パネル部の液晶パネルを被写体側に向かせた状態を示し、（ｃ）は液晶パネル部の液晶パネルをカメラ本体部の左側面に沿って露出させた状態を示した図である。
【００１７】
まず、図２（ａ）に示した一般的な可搬型のビデオカメラ１において、液晶パネル支持ケース３３と一体に内側面３３ａに取り付けた液晶パネル３４を、カメラ本体ケース２１の左側面２１ｃに設けた第１ヒンジ３１を中心に図１に示した液晶パネル不使用位置から略９０°程度図示手前側に開くと、液晶パネル３４が撮影者側に向くので、撮影者は液晶パネル３４に電子的に表示された被写体像を見ながら撮影できる。
【００１８】
次に、図２（ｂ）に示した状態は、図２（ａ）に示した状態から液晶パネル支持ケース３３の内側面３３ａに取り付けた液晶パネル３４を、第２ヒンジ３２を中心に略１８０°回転自在させると、液晶パネル３４が被写体側に向くので、とくに被写体側が人物の場合に撮影される人は自分の撮影状態を確認できる。
【００１９】
次に、図２（ｃ）に示した状態は、図２（ｂ）に示した状態から液晶パネル支持ケース３３を第１ヒンジ３２を中心にカメラ本体ケース２１の左側面２１ｃに沿うよう折り畳むと、液晶パネル３４がカメラ本体ケース２１の左側面２１ｃの外側を向くので、周囲の人が液晶パネル３４に表示された被写体側を見ることができる。
【００２０】
【発明が解決しようとする課題】
ところで、上記したようにカメラ本体部２０の左側面に液晶パネル部３０を開閉自在に取り付けた一般的な可搬型のビデオカメラ１を屋外で使用する時に、雨が降ったり、あるいは、雪が降ったりする時にも使用する機会がよくある。この場合に、可搬型のビデオカメラ１を雨や雪に対して保護するための従来のビデオカメラ用カバー（＝スノー＆レインジャケット）１００は図３に示した如くの物が市販されている。
【００２１】
図３は従来のビデオカメラ用カバーを説明するための斜視図である。
図３に示した如く、従来のビデオカメラ用カバー１００は、雨や雪に対して防水性があり不透明な樹脂シート材などを用いて前記した一般的な可搬型のビデオカメラ１を略全体的に覆うようにカマボコ型に形成されている。この際、ビデオカメラ用カバー１００の前面１００ａは撮影レンズ部１０の撮影レンズ１２と対向する部位に丸孔１００ａ１が貫通して穿設されていると共に、ビデオカメラ用カバー１００の左側面１００ｂには透明な樹脂シート材などを用いて窓枠１０１が一体的に取り付けられており、この窓枠１０１の内側から液晶パネル支持ケース３３の内側面３３ａに取り付けた液晶パネル３４が図２（ｃ）に示した状態と同じように臨んでいる。また、ビデオカメラ用カバー１００の後面１００ｃは、ビューファインダー部４０と対向する部位に丸孔１００ｃ１が貫通して穿設されている。更に、ビデオカメラ用カバー１００の底面１００ｄ側は可搬型のビデオカメラ１を着脱するために開口されている。
【００２２】
上記のように構成した従来のビデオカメラ用カバー１００では、窓枠１０１の内側にある液晶パネル３４が、先に説明した図２（ｃ）に示した状態と同じように、カメラ本体ケース２１の左側面２１ｃの外側を向いているので、雨や雪が降った時の撮影中に、撮影者は勿論のこと、被写体となる人も液晶パネル３４に表示された被写体像を目視することができないので使い勝手が大変悪いものである。
【００２３】
そこで、雨や雪が降った時の撮影中でも、撮影者は勿論のこと、被写体となる人も、更に、周囲の人も液晶パネル３４に表示された被写体像を目視することができるビデオカメラ用カバーが望まれている。
【００２４】
【課題を解決するための手段】
本発明は上記課題に鑑みてなされたものであり、第１の発明は、撮像レンズ部を先端に取り付けたカメラ本体部の側面に液晶パネル部を開閉自在に取り付けた可搬型のビデオカメラに適用され、防水性がある樹脂シート材を用いて前記可搬型のビデオカメラを略全体的に覆うビデオカメラ用カバーにおいて、
前記カメラ本体部を底面側から着脱させ、且つ、前記カメラ本体部を内装した時に該カメラ本体部を覆うカメラ本体カバー部と、
前記カメラ本体カバー部の側面から透明な樹脂シート材を用いて略封筒状に一体的に突出形成され、且つ、互いに対向する外側面の一部と内側面の一部同士を接離可能に接合させ、前記液晶パネル部を内装した時に該液晶パネル部を目視可能に覆う液晶パネルカバー部とを少なくとも備えたことを特徴とするビデオカメラ用カバーである。
【００２５】
また、第２の発明は、上記した第１の発明のビデオカメラ用カバーにおいて、前記液晶パネルカバー部は、前記液晶パネル部の開閉動作に伴って開閉可能に形成したことを特徴とするビデオカメラ用カバーである。
【００２６】
また、第３の発明は、撮像レンズ部をカメラ本体部の先端に取り付け、且つ、前記カメラ本体部の底面に三脚取り付け用有底ネジ孔を穿設した可搬型のビデオカメラに適用され、防水性がある樹脂シート材を用いて前記可搬型のビデオカメラを略全体的に覆うビデオカメラ用カバーにおいて、
前記三脚取り付け用有底ネジ孔内に着脱可能に取り付けられ、且つ、一方の面に雄型マジックテープ（又は雌型マジックテープ）を固着させる共に、前記三脚取り付け用有底ネジ孔内に弾性変位可能に嵌合するチャッキング爪を前記一方の面と反対側の他方の面に突出させた固定部材と、
前記カメラ本体部を覆うと共に、底面の内側に前記固定部材の雄型マジックテープ（又は雌型マジックテープ）と対となる雌型マジックテープ（又は雄型マジックテープ）を固着させたカメラ本体カバー部とを少なくとも備え、
前記カメラ本体カバー部に前記カメラ本体部を内装した際に、前記カメラ本体部の底面に前記三脚取り付け用有底ネジ孔を介して取り付けた前記固定部材の前記雄型マジックテープ（又は前記雌型マジックテープ）を、前記カメラ本体カバー部の底面の内側に固着させた前記雌型マジックテープ（又は前記雄型マジックテープ）に接合したことを特徴とするビデオカメラ用カバーである。
【００２７】
また、第４の発明は、撮像レンズ部をカメラ本体部の先端に取り付け、且つ、前記カメラ本体部の後面にバッテリーを着脱可能に取り付けた可搬型のビデオカメラに適用され、防水性がある樹脂シート材を用いて前記可搬型のビデオカメラを略全体的に覆うビデオカメラ用カバーにおいて、
前記カメラ本体部を覆うカメラ本体カバー部を少なくとも備え、前記カメラ本体カバー部のうちで前記バッテリーと対向する後面に防水性があり且つ前記バッテリーの奥行きサイズに応じて伸縮する素材を縫い合わせたことを特徴とするビデオカメラ用カバーである。
【００２８】
また、第５の発明は、撮像レンズ部をカメラ本体部の先端に取り付け、且つ、前記カメラ本体部の後面にビューファインダー部を撮影者に向かって伸縮可能に取り付けた可搬型のビデオカメラに適用され、防水性がある樹脂シート材を用いて前記可搬型のビデオカメラを略全体的に覆うビデオカメラ用カバーにおいて、前記ビューファインダー部の不使用時に前記カメラ本体部の後面側に接近した該ビューファインダー部の接眼部と対向してこの接眼部を覆うビューファインダーカバー蓋部を、前記カメラ本体カバー部の後面にマジックテープを介して閉じ状態で取り付ける一方、
前記ビューファインダー部の使用時に前記ビューファインダーカバー蓋部を前記カメラ本体カバー部の上面上にマジックテープにより接合した状態で退避させて、前記ビューファインダー部の接眼部を撮影者側に臨ませたことを特徴とするビデオカメラ用カバーである。
【００２９】
更に、第６の発明は、撮像レンズ部をカメラ本体部の先端に取り付けた可搬型のビデオカメラに適用され、防水性がある樹脂シート材を用いて前記可搬型のビデオカメラを略全体的に覆うビデオカメラ用カバーにおいて、
前記撮像レンズ部を覆うフードカバー部と、前記カメラ本体部を覆うカメラ本体カバー部とを一体的に接合する際、前記フードカバー部と前記カメラ本体カバー部の先端部位とを、当て布を用いて返し縫いにより接合したことを特徴とするビデオカメラ用カバーである。
【００３０】
【発明の実施の形態】
以下に本発明に係るビデオカメラ用カバーの一実施例を先に説明した図１，図２及び新たな図４〜図１２を参照して詳細に説明する。
【００３１】
図４は本発明に係るビデオカメラ用カバーを示した斜視図、
図５は本発明に係るビデオカメラ用カバーをカメラ本体カバー部の底面側から見て、このカメラ本体カバー部の底面と液晶パネルカバー部を押し広げた状態を示した斜視図、
図６は本発明に係るビデオカメラ用カバーに一般的な可搬型のビデオカメラを内装した状態を示した図であり、且つ、液晶パネル部が使用状態を示した図、
図７は図６に示した状態からビデオカメラ用カバーのフードカバー部の鍔部をカメラ本体カバー部の先端外側に折り曲げた状態を示した斜視図である。
【００３２】
図４及び図５に示した本発明に係るビデオカメラ用カバー（＝スノー＆レインジャケット）５０は、先に図１を用いて説明したカメラ本体部２０のカメラ本体ケース２１の左側面２１ｃに液晶パネル部３０を開閉自在に取り付けた一般的な可搬型のビデオカメラ１に適用できるように構成したものであり、先に示した可搬型のビデオカメラ１の各構成部材に対しては同一の符号を付して適宜説明すると共に、本発明に係るビデオカメラ用カバー５０中の各構成部材に対して新たな符号を付して説明する。
【００３３】
即ち、図４及び図５に示した如く、本発明に係るビデオカメラ用カバー５０は、雨や雪が降った時に先に図１を用いて説明した一般的な可搬型のビデオカメラ１を略全体的に保護できるように、防水性のある透明な樹脂シート材と防水性のある不透明な樹脂シート材とを不図示の当て布などを介して縫い合わせて一体的に形成されている。この際、透明な樹脂シート材は操作性を考慮して可搬型のビデオカメラ１の上部側を覆うと共に液晶パネル部３０を覆うように用いられ、一方、不透明な樹脂シート材はデザイン性とか剛性を考慮して可搬型のビデオカメラ１の下部側を覆うように用いられている。
【００３４】
上記したビデオカメラ用カバー５０は、フードカバー部６０と、カメラ本体カバー部７０と、液晶パネルカバー部８０と、ビューファインダーカバー蓋部９０とから概略構成されており、フードカバー部６０はカメラ本体カバー部７０の前方に一体的に縫い合わせられ、且つ、液晶パネルカバー部８０はカメラ本体カバー部７０の左側面に一体的に縫い合わせられ、更に、ビューファインダーカバー蓋部９０はカメラ本体カバー部７０の後面に一体的に縫い合わせられている。
【００３５】
ここで、図１，図４，図５を併用してより具体的に説明すると、まず、上記したフードカバー部６０は、透明な樹脂シート材を用いて可搬型のビデオカメラ１の撮影レンズ部１０の先端側を覆っている。この際、フードカバー部６０の鍔部６０ａは上方の長さが被写体側に向かって長く形成され、下方に向かって鍔部６０ａの長さがテーパ状に徐々に短く形成されている。そして、フードカバー部６０の前方は撮影レンズ部１０の撮影レンズ１２とこの下方に設けた照明用ライト２４とが臨めるように開口部６０ｂが略円状又は略矩形状に開口されている。
【００３６】
尚、フードカバー部６０をカメラ本体カバー部７０の前方に一体的に縫い合わせることなく、カメラ本体カバー部７０内で撮影レンズ部１０を覆う方法もある。
【００３７】
次に、上記したカメラ本体カバー部７０は、可搬型のビデオカメラ１のカメラ本体部２０を覆うにあたって、カメラ本体部２０の上部を覆うために透明な樹脂シート材による透明シート部７１と、カメラ本体部２０の下部を覆うために不透明な樹脂シート材による不透明シート部７２とを不図示の当て布などを介して縫い合わせて略筒状に形成されている。
【００３８】
また、カメラ本体カバー部７０に可搬型のビデオカメラ１を内装したり、カメラ本体カバー部７０内に撮影者の右手を挿入するために、下方に設けた不透明シート部７２の底面７２ｂ中で撮影者の右手に対応する右側部を一部切り欠くと共に、不透明シート部７２の右側部７２ｄを外側に向かって少し膨らませることで、底面７２ｂの右側部側に撮影者の右手を挿入するための開口部７２ｂ１が形成されている。
【００３９】
また、図５にも示したように、不透明シート部７２の底面７２ｂの先端側を一方の端部７２ｂ２と他方の端部７２ｂ３とに切り離して、この一方の端部７２ｂ２を他方の端部７２ｂ３に向かって少し延出させた状態で雌型マジックテープ（登録商標）７３と雄型マジックテープ（登録商標）７４とを介して底面７２ｂの先端側を接離可能に二重に重ね合わせて接合している。この際、不透明シート部７２の底面７２ｂの一方の端部７２ｂ２の外側に雌型マジックテープ（登録商標）７３が固着され、不透明シート部７２の底面７２ｂの他方の端部７２ｂ３の内側に雄型マジックテープ（登録商標）７４が固着されているので、一方の端部７２ｂ２が他方の端部７２ｂ３の内側に入り込んで両者が重ね合わせて接合されるようになっている。
【００４０】
また、不透明シート部７２の底面７２ｂの内側には、可搬型のビデオカメラ１を底面７２ｂに対して固定するための雌型マジックテープ（登録商標）７８が底面７２ｂの長手方向に沿って長尺に固着されており、この雌型マジックテープ（登録商標）７８に可搬型のビデオカメラ１を固定する方法については後で述べる。
【００４１】
そして、不透明シート部７２の底面７２ｂの先端側の一方の端部７２ｂ２に取り付けた雌型マジックテープ（登録商標）７３と、底面７２ｂの先端側の他方の端部７２ｂ３に取り付けた雄型マジックテープ（登録商標）７４とを図５に示したように切り離して、不透明シート部７２の底面７２ｂ中の右側部に開口した開口部７２ｂ１に沿って底面７２ｂを押し広げて開くことで、可搬型のビデオカメラ１を不透明シート部７２中の底面７２ｂ側から着脱することができるようになっている。
【００４２】
この際、カメラ本体カバー部７０に可搬型のビデオカメラ１のカメラ本体部２０が内装された時には、撮影者は不透明シート部７２中の底面７２ｂに開口した開口部７２ｂ１から右手を挿入して、カメラ本体部２０の右側部側を把持しながらカメラ本体ケース２１の上部外側２１ａに取り付けた複数の操作ボタン２３を透明シート部７１を介して覗きながら操作することが可能になっている。
【００４３】
次に、上記した液晶パネルカバー部８０は、カメラ本体部２０のカメラ本体ケース２１の左側面２１ｃに開閉自在に取り付けた液晶パネル部３０を目視可能に覆うために透明な樹脂シート材を用いて、透明シート部７１の左側面７１ａの前方側及び不透明シート部７２の左側面７２ａの前方側から互いに対向する外側面８０ａと内側面８０ｂとを蓋合わせてして略封筒状に一体的に図示手前に向かって長尺に突出形成されており、且つ、液晶パネルカバー部８０のうちで外側面８０ａの下部８０ａ１の長手方向及び内側面８０ｂの下部８０ｂ１の長手方向のみが切り離されて、両下部８０ａ１，８０ｂ１の内側に固着させた雌型マジックテープ（登録商標）８１と雄型マジックテープ（登録商標）８２とを介して両下部８０ａ１，８０ｂ１同士が接離可能に接合されて略封筒状になっている。
【００４４】
また、液晶パネルカバー部８０は柔軟性のある透明な樹脂シート材を用いているので折り畳み自在となっており、不使用時には液晶パネルカバー部８０を透明シート部７１の左側面７１ａ側及び不透明シート部７２の左側面７２ａ側に折り畳んで、内側面８０ｂの下部８０ｂ１の外側に取り付けた雄型マジックテープ（登録商標）８３を不透明シート部７２の左側面７２ａに取り付けた雌型マジックテープ（登録商標）７５に接合させて液晶パネル部３０が液晶パネルカバー部８０に内装されていない状態で折り畳むことができる。
【００４５】
そして、不透明シート部７２中の底面７２ｂ側から可搬型のビデオカメラ１を着脱する際に、液晶パネルカバー部８０の外側面８０ａの下部８０ａ１に取り付けた雌型マジックテープ（登録商標）８１と、内側面８０ｂの下部８０ｂ１に取り付けた雄型マジックテープ（登録商標）８２とを図５に示したように切り離して、両下部８０ａ１，８０ｂ１を押し広げて開口することで、液晶パネル部３０を両下部８０ａ１，８０ｂ１側から着脱できるようになっている。更に、液晶パネルカバー部８０に液晶パネル部３０を内装した時にも、液晶パネル３０の開閉動作に伴って柔軟性のある液晶パネルカバー部８０が一体的に開閉できるようになっている。
【００４６】
次に、上記したビューファインダーカバー蓋部９０は、透明な樹脂シート材を用いてビューファインダー部４０の接眼部４０ａと対向しながらカメラ本体カバー部７０の透明シート部７１の後面７１ｃの上部から不透明シート部７２の後面７２ｃの上部に向かって開閉可能に垂れ下がっている。
【００４７】
そして、可搬型のビデオカメラ１のビューファインダー部４０が不使用状態でカメラ本体ケース２１の後面２１ｄに接近して縮んでいる時に、ビューファインダーカバー蓋部９０は、ビューファインダー部４０の接眼部４０ａを覆うようにビューファインダーカバー蓋部９０の内面に取り付けた雄型マジックテープ（登録商標）９１を不透明シート部７２の後面７２ｃの上部外側に取り付けた雌マジックテープ（登録商標）７６に接合させている。
【００４８】
また、可搬型のビデオカメラ１のビューファインダー部４０を使用する時には、ビューファインダーカバー蓋部９０を透明シート部７１の上面７１ｂ側まで持ち上げて、ビューファインダーカバー蓋部９０の内面に取り付けた雄型マジックテープ（登録商標）９１が透明シート部７１の上面７１ｂ側に対向するように折り曲げて、この雄型マジックテープ（登録商標）９１を透明シート部７１の上面７１ｂ上に取り付けた雌型マジックテープ（登録商標）７７に接合することで、透明シート部７１の後面７１ｃ側が開口し、ここにカメラ本体ケース２１の後面２１ｄから撮影者側に向かって伸びたビューファインダー部４０の接眼部４０ａが臨めるようになっている。
【００４９】
そして、上記のように構成した本発明に係るビデオカメラ用カバー５０内に可搬型のビデオカメラ１を装着すると、図６に示した如くになる。
【００５０】
図６に示した如く、ビデオカメラ用カバー５０内に可搬型のビデオカメラ１を装着すると、ビデオカメラ用カバー５０のフードカバー部６０内に可搬型のビデオカメラ１の撮影レンズ部１０が臨んでおり、フードカバー部６０で撮影レンズ部１０の先端部位を覆っている。この際、撮影レンズ部１０の撮影レンズ１２と下方に設けた照明用ライト２４とがフードカバー部６０の開口部６０ｂ内で露出している。
【００５１】
また、ビデオカメラ用カバー５０のカメラ本体カバー部７０内にカメラ本体部２０が収納されて、カメラ本体カバー部７０でカメラ本体部２０を覆っている。
【００５２】
また、ビデオカメラ用カバー５０の液晶パネルカバー部８０内に液晶パネル部３０が収納されて、透明な樹脂シート材による液晶パネルカバー部８０で液晶パネル部３０を目視可能に覆っている。
【００５３】
また、ビデオカメラ用カバー５０のビューファインダーカバー蓋部９０は、ビューファインダー部４０が不使用時のみビューファインダー部４０の接眼部４０ａと対向してこの接眼部４０ａを覆っている。
【００５４】
ここで、液晶パネルカバー部８０内に液晶パネル部３０を収納する場合には、液晶パネル部３０の液晶パネル支持ケース３３に取り付けた液晶パネル３４を、図２（ａ）のように第１ヒンジ３１により撮影者側に向けておくか、もしくは、図２（ｂ）のように図２（ａ）に対して第２ヒンジ３２により略１８０°回転させて被写体側に向けておくかを液晶パネルカバー部８０内に収納する前に予め設定しておき、液晶パネル３４の向きを設定してから液晶パネルカバー部８０内に液晶パネル部３０を収納している。
【００５５】
また、液晶パネル部３０の不使用時には、液晶パネル用電源を切断する必要があるために、液晶パネルカバー部８０内に液晶パネル部３０を収納した状態ではカメラ本体ケース２１の左側面２１ｃに取り付けた液晶パネル用電源スイッチ３５を液晶パネル支持ケース３３の内側面３３ａに突出形成したボス３３ａ１で押すことができないために、この場合には液晶パネル部３０を液晶パネルカバー部８０内から離脱させてカメラ本体ケース２１の左側面２１ｃに密着させて閉じれば良い。尚、液晶パネル用電源スイッチ３５を撮影者が操作可能な場所に設けた場合には液晶パネル部３０を液晶パネルカバー部８０内に装着したままの状態での不使用が可能となる。
【００５６】
また、液晶パネル部３０を液晶パネルカバー部８０内に装着した場合には、液晶パネル３４を取り付けた液晶パネル支持ケース３３の開閉動作に伴って液晶パネルカバー部８０も一体的に開閉できる。
【００５７】
更に、本発明に係るビデオカメラ用カバー５０は、液晶パネルカバー部８０の位置がカメラ本体カバー部７０の左側面の前方側に定められているものの、図７に示したように、フードカバー部６０の鍔部６０ａをカメラ本体カバー部７０の先端外側に向かって折り曲げれば、ビデオカメラ用カバー５０の全長が短くなってカメラ本体カバー部７０の長さと略等しくなり、これによりビデオカメラ１の撮影レンズ部１０の長さが短い機種にも対応できる。勿論、図示を省略するものの、ビデオカメラに液晶パネル部がない機種の場合には、ビデオカメラ用カバー５０の液晶パネルカバー部８０をカメラ本体カバー部７０の左側面側に折り畳んでカメラ本体カバー部７０の左側面にマジックテープ（登録商標）７５，８３により接合させておけば良い。
【００５８】
次に、本発明に係るビデオカメラ用カバー５０の他の特徴について、図８〜図１２を用いて順を追って説明する。
【００５９】
図８は本発明に係るビデオカメラ用カバーに一般的な可搬型のビデオカメラを内装した時に、このビデオカメラをカメラ本体カバー部の底面の内側に固定するための固定部材を示した斜視図、
図９は本発明に係るビデオカメラ用カバーに一般的な可搬型のビデオカメラを内装した時に、このビデオカメラをカメラ本体カバー部の底面の内側に固定した状態を説明するための断面図、
図１０は本発明に係るビデオカメラ用カバーに一般的な可搬型のビデオカメラを内装した時に、このビデオカメラのカメラ本体ケースの後面に取り付けたバッテリーの大きさに対して、カメラ本体カバー部の下方に設けた不透明シート部の後面に伸縮自在な素材を用いた状態を示した断面図、
図１１は本発明に係るビデオカメラ用カバーに一般的な可搬型のビデオカメラを内装してビューファインダー部を撮影者側に突出させる時に、ビューファインダーカバー蓋部を開いてカメラ本体カバー部の上部外側に接合した状態を示した断面図、
図１２（ａ）〜（ｄ）は本発明に係るビデオカメラ用カバーを作製する際に、フードカバー部と、カメラ本体カバー部とを返し縫いにより縫い合わせる工程を説明するための図である。
【００６０】
まず、図８及び図９に示した如く、本発明に係るビデオカメラ用カバー５０に一般的な可搬型のビデオカメラ１を内装した時に、このビデオカメラ１をビデオカメラ用カバー５０のカメラ本体カバー部７０のうちで下方に設けた不透明シート部７２の底面７２ｂの内側に固定するための固定部材９５は、一方の面（下面）に円盤状の雄型マジックテープ（登録商標）９６を固着させ、且つ、この雄型マジックテープ（登録商標）９６の中心部にチャッキング爪９７を一方の面（下面）から嵌め込んで、この一方の面（下面）と反対側の他方の面（上面）に突出させて一体的に形成されている。この際、チャッキング爪９７は樹脂材を用いており、このチャッキング爪９７の先端部位に円周に沿って４分割した４本の爪部９７ａが弾性変位可能に形成されている。
【００６１】
そして、上記した固定部材９５は、ビデオカメラ１のカメラ本体ケース２１の底面２１ｅに穿設した三脚取り付け用有底ネジ孔２５内に着脱自在になっており、固定部材９５のチャッキング爪９７の先端部位に形成した４本の爪部９７ａを三脚取り付け用有底ネジ孔２５内に弾性変位可能に嵌合させることで、固定部材９５がカメラ本体ケース２１の底面２１ｅに取り付けられる。
【００６２】
更に、ビデオカメラ１のカメラ本体ケース２１の底面２１ｅに固定部材９５を取り付けた状態で、このビデオカメラ１をビデオカメラ用カバー５０のカメラ本体カバー７０部のうちで下方に設けた不透明シート部７２の底面７２ｂ側から装着し、不透明シート部７２の底面７２ｂの先端側の一方の端部７２ｂ２と他方の端部７２ｂ３とをマジックテープ（登録商標）７３，７４により接合して、カメラ本体ケース２１の底面２１ｅに取り付けた固定部材９５の雄型マジックテープ（登録商標）９６を、カメラ本体カバー部７０の不透明シート部７２の底面７２ｂの内側に固着させた雌型マジックテープ（登録商標）７８に接合させることで、ビデオカメラ１がカメラ本体カバー部７０の底面７２ｂに対して固定される。この際、カメラ本体カバー部７０の不透明シート部７２の底面７２ｂの内側に固着させた雌型マジックテープ（登録商標）７８は、不透明シート部７２の底面７２ｂの長手方向に沿って長尺に形成されているので、カメラ本体ケース２１の底面２１ｅに取り付けた固定部材９５の雄型マジックテープ（登録商標）９６を雌型マジックテープ（登録商標）７８上の適宜な位置に固定できる。従って、ビデオカメラ１の長手方向のサイズに合わせて、カメラ本体ケース２１の底面２１ｅに取り付けた固定部材９５をカメラ本体カバー部７０の底面７２ｂの適宜な位置に固定できるので、ビデオカメラ用カバー５０の使い勝手が良好となる。
【００６３】
尚、この実施例では、固定部材９５側に雄型マジックテープ（登録商標）９６を用い、不透明シート部７２の底面７２ｂ側に雄型マジックテープ（登録商標）９６と対となる雌型マジックテープ（登録商標）７８を用いて両者を接合しているが、雄型及び雌型を上記に対して逆転させても良い。
【００６４】
次に、図１０に示した如く、本発明に係るビデオカメラ用カバー５０に一般的な可搬型のビデオカメラ１を内装した時に、ビデオカメラ１のカメラ本体ケース２１の後面２１ｄに取り付けたバッテリー４５は、製造メーカとか電源容量などによって奥行きサイズが異なる場合がある。これに対応して、本発明に係るビデオカメラ用カバー５０のカメラ本体カバー部７０のうちで下方に設けた不透明シート部７２の後面７２ｃに、防水性があり且つバッテリー４５の奥行きサイズに応じて伸縮する素材を縫い合わせることで、カメラ本体ケース２１の後面２１ｄに奥行き寸法が長いバッテリー４５を取り付けた場合でも、バッテリー４５と対向する不透明シート部７２の後面７２ｃが自由に伸びるので何等の支障も生じない。この際、ビューファインダーカバー蓋部９０も不透明シート部７２の後面７２ｃの位置に合わせてマジックテープ（登録商標）７６，９１により接合されるので、ビデオカメラ用カバー５０の使い勝手が良好となる。
【００６５】
次に、図１１に示した如く、本発明に係るビデオカメラ用カバー５０に一般的な可搬型のビデオカメラ１を内装してビューファインダー部４０を撮影者側に突出さる時には、ビューファインダーカバー蓋部９０を開いてカメラ本体カバー部７０の上部に退避させておかねばならない。この場合、前述したように、ビューファインダーカバー蓋部９０をカメラ本体カバー部７０のうちで上方に設けた透明シート部７１の上面７１ｂ側まで持ち上げて、ビューファインダーカバー蓋部９０の内面に取り付けた雄型マジックテープ（登録商標）９１が透明シート部７１の上面７１ｂ側に対向するように折り曲げて、この雄型マジックテープ（登録商標）９１を透明シート部７１の上面７１ｂ上に取り付けた雌型マジックテープ（登録商標）７７に接合することで、ビューファインダーカバー蓋部９０が撮影者に対して邪魔にならない位置に退避して、透明シート部７１の後面７１ｃ側が開口し、ここにカメラ本体ケース２１の後面２１ｄから撮影者側に向かって伸びたビューファインダー部４０の接眼部４０ａが臨めるので、ビデオカメラ用カバー５０の使い勝手が良好となる。
【００６６】
次に、図１２（ａ）〜（ｄ）に示した如く、本発明に係るビデオカメラ用カバー５０を作製する際に、フードカバー部６０と、カメラ本体カバー部７０の先端部位とを返し縫いにより縫い合わせて接合している。
【００６７】
即ち、図１２（ａ）に示したように、防水性のある当て布６１としてフードカバー部６０の縫い合わせ部位の長さＬ（図示せず）を有し、且つ、所定の幅Ｗを有して切断したものを予め用意する。そして、当て布６１の上にカメラ本体カバー部７０の先端部位（透明シート部７１の先端部位又は不透明シート部７２の先端部）を乗せ、且つ、当て布６１の幅方向の略３／５Ｗ〜Ｗ間で両者６１，７０を７１重ね合わせて、略３／５Ｗ側の位置▲１▼でまず縫い合わせる。
【００６８】
次に、図１２（ｂ）に示したように、図１２（ａ）で当て布６１とカメラ本体カバー部７０の先端部位とを縫い合わせ位置▲１▼で縫い合わせた後に、縫い合わせ位置▲１▼を僅かに避けてカメラ本体カバー部７０上にフードカバー部６０を重ね合わせる。
【００６９】
次に、図１２（ｃ）に示したように、図１２（ｂ）の状態から当て布６１の先端側を上方に折り曲げて、フードカバー部６０の上に重ね合わせると、下方から上方に向かって当て布６１，カメラ本体カバー部７０，フードカバー部６０，当て布６１が４層に重ね合わせられる。
【００７０】
次に、図１２（ｄ）に示したように、図１２（ｃ）の状態からフードカバー部６０の先端側を上方に折り曲げて、図１２（ｃ）で折り曲げた当て布６１の上に重ね合わせると、下方から上方に向かって当て布６１，カメラ本体カバー部７０，フードカバー部６０，当て布６１，フードカバー部６０が５層に重ね合わせられ、この５層の部位の位置▲２▼を縫い合わせることで返し縫いが行われ、この返し縫いの部位はフードカバー部６０の折り曲げにより丸みをおびるので外観上きれいに見え、且つ、防水性に強く、更に、フードカバー部６０の鍔部６０ａをカメラ本体カバー部７０の先端外側に向けて複数回折り曲げても耐久性を維持できるため、ビデオカメラ用カバー５０の使い勝手が良好となる。
【００７１】
尚、上記した図８〜図１２を用いて説明した技術的思想は、ここでの図示を省略するものの、液晶パネル部を備えていないビデオカメラにも適用でき、これに伴って、液晶パネルカバー部を設けていないビデオカメラ用カバーにも適用できるものである。
【００７２】
【発明の効果】
以上詳述した本発明に係るビデオカメラ用カバーにおいて、請求項１記載によると、撮像レンズ部を先端に取り付けたカメラ本体部の側面に液晶パネル部を開閉自在に取り付けた可搬型のビデオカメラに適用され、防水性がある樹脂シート材を用いて前記可搬型のビデオカメラを略全体的に覆うビデオカメラ用カバーにおいて、前記カメラ本体部を底面側から着脱させ、且つ、前記カメラ本体部を内装した時に該カメラ本体部を覆うカメラ本体カバー部と、前記カメラ本体カバー部の側面から透明な樹脂シート材を用いて略封筒状に一体的に突出形成され、且つ、互いに対向する外側面の一部と内側面の一部同士を接離可能に接合させ、前記液晶パネル部を内装した時に該液晶パネル部を目視可能に覆う液晶パネルカバー部とを少なくとも備えているため、可搬型のビデオカメラを屋外で使用する時に、透明な樹脂シート材を用いて形成した液晶パネルカバー部で液晶パネル部を雨や雪に対して保護できると共に、雨や雪が降った撮影時でも液晶パネル部の向きに応じて撮影者とか、被写体となる人とか、周囲の人が液晶パネル部に表示された被写体像を目視することができる。
【００７３】
また、請求項２記載によると、液晶パネルカバー部は、液晶パネル部の開閉動作に伴って開閉可能であるので、ビデオカメラ用カバーの使い勝手が良い。
【００７４】
また、請求項３記載によると、撮像レンズ部をカメラ本体部の先端に取り付け、且つ、前記カメラ本体部の底面に三脚取り付け用有底ネジ孔を穿設した可搬型のビデオカメラに適用され、防水性がある樹脂シート材を用いて前記可搬型のビデオカメラを略全体的に覆うビデオカメラ用カバーにおいて、前記三脚取り付け用有底ネジ孔内に着脱可能に取り付けられ、且つ、一方の面に雄型マジックテープ（又は雌型マジックテープ）を固着させる共に、前記三脚取り付け用有底ネジ孔内に弾性変位可能に嵌合するチャッキング爪を前記一方の面と反対側の他方の面に突出させた固定部材と、前記カメラ本体部を覆うと共に、底面の内側に前記固定部材の雄型マジックテープ（又は雌型マジックテープ）と対となる雌型マジックテープ（又は雄型マジックテープ）を固着させたカメラ本体カバー部とを少なくとも備え、前記カメラ本体カバー部に前記カメラ本体部を内装した際に、前記カメラ本体部の底面に前記三脚取り付け用有底ネジ孔を介して取り付けた前記固定部材の前記雄型マジックテープ（又は前記雌型マジックテープ）を、前記カメラ本体カバー部の底面の内側に固着させた前記雌型マジックテープ（又は前記雄型マジックテープ）に接合したため、可搬型のビデオカメラをビデオカメラ用カバーのカメラ本体カバー部の底面に固定できるので、ビデオカメラに対してビデオカメラ用カバーが移動しないために被写体を撮影し易くなる。
【００７５】
また、請求項４記載によると、撮像レンズ部をカメラ本体部の先端に取り付け、且つ、前記カメラ本体部の後面にバッテリーを着脱可能に取り付けた可搬型のビデオカメラに適用され、防水性がある樹脂シート材を用いて前記可搬型のビデオカメラを略全体的に覆うビデオカメラ用カバーにおいて、前記カメラ本体部を覆うカメラ本体カバー部を少なくとも備え、前記カメラ本体カバー部のうちで前記バッテリーと対向する後面に防水性があり且つ前記バッテリーの奥行きサイズに応じて伸縮する素材を縫い合わせたため、カメラ本体部の後面に奥行き寸法が長いバッテリーを取り付けた場合でも、カメラ本体カバー部の後面が自由に伸びるので何等の支障も生じることなく、ビデオカメラ用カバーの使い勝手が良好となる。
【００７６】
また、請求項５記載によると、撮像レンズ部をカメラ本体部の先端に取り付け、且つ、前記カメラ本体部の後面にビューファインダー部を撮影者に向かって伸縮可能に取り付けた可搬型のビデオカメラに適用され、防水性がある樹脂シート材を用いて前記可搬型のビデオカメラを略全体的に覆うビデオカメラ用カバーにおいて、前記ビューファインダー部の不使用時に前記カメラ本体部の後面側に接近した該ビューファインダー部の接眼部と対向してこの接眼部を覆うビューファインダーカバー蓋部を、前記カメラ本体カバー部の後面にマジックテープを介して閉じ状態で取り付ける一方、前記ビューファインダー部の使用時に前記ビューファインダーカバー蓋部を前記カメラ本体カバー部の上面上にマジックテープにより接合した状態で退避させて、前記ビューファインダー部の接眼部を撮影者側に臨ませたため、ビデオカメラ用カバーの使い勝手が良好となる。
【００７７】
更に、請求項６記載によると、撮像レンズ部をカメラ本体部の先端に取り付けた可搬型のビデオカメラに適用され、防水性がある樹脂シート材を用いて前記可搬型のビデオカメラを略全体的に覆うビデオカメラ用カバーにおいて、前記撮像レンズ部を覆うフードカバー部と、前記カメラ本体部を覆うカメラ本体カバー部とを一体的に接合する際、前記フードカバー部と前記カメラ本体カバー部の先端部位とを、当て布を用いて返し縫いにより接合したため、返し縫いの部位はフードカバー部の折り曲げにより丸みをおびるので外観上きれいに見え、且つ、防水性に強く、更に、フードカバー部の鍔部をカメラ本体カバー部の先端外側に向けて複数回折り曲げても耐久性を維持できるため、ビデオカメラ用カバーの使い勝手が良好となる。
【図面の簡単な説明】
【図１】図１は液晶パネル部をカメラ本体部の側面に開閉自在に取り付けた一般的な可搬型のビデオカメラを説明するための斜視図であり、且つ、液晶パネル部の液晶パネルが不使用状態を示した図である。
【図２】一般的な可搬型のビデオカメラにおいて、液晶パネル部の液晶パネルの使用形態を説明するための斜視図であり、（ａ）は液晶パネル部の液晶パネルを撮影者側に向かせた状態を示し、（ｂ）は液晶パネル部の液晶パネルを被写体側に向かせた状態を示し、（ｃ）は液晶パネル部の液晶パネルをカメラ本体部の左側面に沿って露出させた状態を示した図である。
【図３】従来のビデオカメラ用カバーを説明するための斜視図である。
【図４】本発明に係るビデオカメラ用カバーを示した斜視図である。
【図５】本発明に係るビデオカメラ用カバーをカメラ本体カバー部の底面側から見て、このカメラ本体カバー部の底面と液晶パネルカバー部を押し広げた状態を示した斜視図である。
【図６】本発明に係るビデオカメラ用カバーに一般的な可搬型のビデオカメラを内装した状態を示した図であり、且つ、液晶パネル部が使用状態を示した図である。
【図７】図６に示した状態からビデオカメラ用カバーのフードカバー部の鍔部をカメラ本体カバー部の先端外側に折り曲げた状態を示した斜視図である。
【図８】本発明に係るビデオカメラ用カバーに一般的な可搬型のビデオカメラを内装した時に、このビデオカメラをカメラ本体カバー部の底面の内側に固定するための固定部材を示した斜視図である。
【図９】本発明に係るビデオカメラ用カバーに一般的な可搬型のビデオカメラを内装した時に、このビデオカメラをカメラ本体カバー部の底面の内側に固定した状態を説明するための断面図である。
【図１０】本発明に係るビデオカメラ用カバーに一般的な可搬型のビデオカメラを内装した時に、このビデオカメラのカメラ本体ケースの後面に取り付けたバッテリーの大きさに対して、カメラ本体カバー部の下方に設けた不透明シート部の後面に伸縮自在な素材を用いた状態を示した断面図である。
【図１１】本発明に係るビデオカメラ用カバーに一般的な可搬型のビデオカメラを内装してビューファインダー部を撮影者側に突出させた時に、ビューファインダーカバー蓋部を開いてカメラ本体カバー部の上部外側に接合した状態を示した断面図である。
【図１２】（ａ）〜（ｄ）は本発明に係るビデオカメラ用カバーを作製する際に、フードカバー部と、カメラ本体カバー部とを返し縫いにより縫い合わせる工程を説明するための図である。
【符号の説明】
１…可搬型のビデオカメラ、
１０…撮影レンズ部、１２…撮影レンズ、
２０…カメラ本体部、２１…カメラ本体ケース、
２１ａ…上部外側、２１ｂ…前面下部、２１ｃ…一方の側面（左側面）、
２１ｄ…後面、２１ｅ…底面、
２２…記録再生部、２３…操作ボタン、２４…照明用ライト、
２５…三脚取り付け用有底ネジ孔、
３０…液晶パネル部、３３…液晶パネル支持ケース、３４…液晶パネル、
４０…ビューファインダー部、４０ａ…接眼部、
４５…バッテリー、
５０…ビデオカメラ用カバー、
６０…フードカバー部、６１…当て布、
７０…カメラ本体カバー部、
７１…透明シート部、７１ａ…左側面、７１ｂ…上面、７１ｃ…後面、
７２…不透明シート部、７２ａ…左側面、７２ｂ…底面、７２ｃ…後面、
７６…雌型マジックテープ（登録商標）、
７７…雌型マジックテープ（登録商標）、
７８…雌型マジックテープ（登録商標）、
８０…液晶パネルカバー部、８０ａ…外側面、８０ｂ…内側面、
９０…ビューファインダーカバー蓋部、
９１…雄型マジックテープ（登録商標）、
９５…固定部材、
９６…雄型マジックテープ（登録商標）、９７…チャッキング爪。
【図１】
2004128529.tif 000003
【図２】
2004128529.tif 000004
【図３】
2004128529.tif 000005
【図４】
2004128529.tif 000006
【図５】
2004128529.tif 000007
【図６】
2004128529.tif 000008
【図７】
2004128529.tif 000009
【図８】
2004128529.tif 000010
【図９】
2004128529.tif 000011
【図１０】
2004128529.tif 000012
【図１１】
2004128529.tif 000013
【図１２】
2004128529.tif 000014